(57)【特許請求の範囲】
【請求項１】
発呼者からのメツセ−ジを記憶しているときにメツセ−ジを記憶している旨の通知と自局へのコ−ルバツク番号を送出する局に接続され、受信されまだコ−ルバツクが行われていないコ−ルバツク番号を記憶する記憶手段と、コ−ルバツクキ−と、前記コ−ルバツクキ−が操作されたときに前記記憶手段に記憶されたコ−ルバツク番号をダイヤル発信するダイヤル発信手段を有する電話装置であって、
前記記憶手段は前記局へのダイヤル番号を予め記憶し、前記ダイヤル発信手段は前記コ−ルバツクキ−が操作されたときに設定に係わらず局接続音の送信をしないようにすると共に、前記記憶手段に前記コ−ルバツク番号が記憶されていないときは前記記憶手段に記憶されたダイヤル番号をダイヤル発信することを特徴とする電話装置。
【発明の詳細な説明】
【０００１】
【発明の属する技術分野】
本発明は、メッセージを受信する電話装置に関する。
【０００２】
【従来の技術】
米国の音声メッセージ（ボイスメール）のサービスでは、電話会社のボイスメールセンタが音声メッセージの内容を記憶し、まだ内容が送信されていない音声メッセージの件数を電話装置に送信している。そして、ＳＭＳ規格（ＩＳ−６３７）では、オプションとしてコールバック（Ｃａｌｌ  Ｂａｃｋ）番号の送信が規定されている。これにより、電話装置は受信したコールバック番号をメモリに一時的に記憶させて、ダイヤル入力することなく、ワンタッチでダイヤル発信し、音声メッセージをボイスメールセンタより受信して、これを発声させることができる。
【０００３】
【発明が解決しようとする課題】
しかしながら、何らかの理由でコールバック番号を発信しない基地局があり、電話装置はコールバック番号を受信することができないことがある。そのときは、指定されたボイスメールセンタのダイヤル番号を手動により、入力しなければならなかった。
【０００４】
【課題を解決するための手段】
本発明は、この課題に鑑みてなされたもので、発呼者からのメツセ−ジを記憶しているときにメツセ−ジを記憶している旨の通知と自局へのコ−ルバツク番号を送出する局に接続され、受信されまだコ−ルバツクが行われていないコ−ルバツク番号を記憶する記憶手段と、コ−ルバツクキ−と、前記コ−ルバツクキ−が操作されたときに前記記憶手段に記憶されたコ−ルバツク番号をダイヤル発信するダイヤル発信手段を有する電話装置であって、前記記憶手段は前記局へのダイヤル番号を予め記憶し、前記ダイヤル発信手段は前記コ−ルバツクキ−が操作されたときに設定に係わらず局接続音の送信をしないようにすると共に、前記記憶手段に前記コ−ルバツク番号が記憶されていないときは前記記憶手段に記憶されたダイヤル番号をダイヤル発信することを特徴とする電話装置。
【０００５】
【発明の実施の形態】
本発明の第１の実施例を図面に基づき説明する。図１は実施例の要部の構成を示すブロック図であり、図２は装置の正面図ある。本実施例の電話装置は、同じ周波数のキャリアを同一セルで複数利用するＣＤＭＡ方式の携帯電話機である。
【０００６】
（１）は通信部であり、後述のベースバンド部（３）からの通話や文字メッセージ等の信号をアンテナ（２）を介して基地局へ発信したり、アンテナ（２）を介して基地局からの通話や文字メッセージや音声メッセージ等の電波を受信したりする。
【０００７】
（３）はベースバンド部であり、ＣＤＭＡ処理回路（３１）と音声コーデック（３２）を有する。ＣＤＭＡ処理回路（３１）は符号分割多元接続、スクランブル、誤り制御、タイミング検出を行う。音声コーデック（３２）は音声を圧縮（符号化）・伸張（復号化）したり、アナログとディジタルの変換を行ったり、内部の増幅回路（図示せず）により受話音量やマイクロホンの感度を変更する。
【０００８】
（４）はハンズフリーでない通常の通話用の受話部（図２のＪを参照）に配設されるスピーカ（耳にあてて使用されるスピーカ）であり、増幅回路（５）で増幅されたベースバンド部（３）の電気信号を音声に変換する。（６）は通話に使用されるマイクロホンであり、音声を電気信号に変換する。（７）は増幅回路であり、マイクロホン（６）の出力を増幅してベースバンド部（３）に出力する。
（８）は通話やメッセージの着信報知音を出力するスピーカである。また、スピーカ（８）は通話を周囲の人に聞かせるためにも使用され、耳用のスピーカ（４）が配設される受話部（Ｊ）の背面に配設される。このスピーカ（８）は増幅回路（９）で増幅されたベースバンド部（３）の電気信号を音声に変換する。
【０００９】
（１０）は切替回路であり、３つの夫々の増幅回路（５）（７）（９）と、ベースバンド部（３）との接続を後述の制御回路（１１）の制御によりＯＮ／ＯＦＦする。尚、これら３つの増幅回路（５）（７）（９）はゲインを固定しており、受話音量やマイクロホンの感度を変更することはできない。受話音量やマイクロホンの感度の変更は制御回路（１１）の制御によりベースバンド部（３）の音声コーデック（３２）が行う。
【００１０】
（１１）はマイクロプロセッサからなる制御回路であり、動作のプログラムを記憶したＲＯＭ（１２）に基づき各部の制御やダイヤル信号の生成を行う。（１３）はＲＡＭであり、制御回路（１１）の動作に必要な情報、例えば、受信されたコールバック番号や登録されたコールバック番号を記憶する。
【００１１】
（１４）は液晶の表示部であり、電話番号やコールバック番号等を表示する。
（１５）はＬＥＤであり、着呼時に点灯し、文字メッセージの着信時に点滅する。（１６）はバイブレータであり、制御回路（１１）の制御に基づき通話の着呼やメッセージの着信時に振動を発生させる。（１７）は入力手段であり、電話番号の入力等を行うテンキー（１７１）と、通話の開始を操作するＳＥＮＤキー（１７２）と、通話の終了を操作するＥＮＤキー（１７３）と、メッセージの着信確認を操作するＭＡＩＬキー（１７４）と、表示部（１４）の最下行に表示された文字に対応する操作を行うＦ１キー（１７５）とＦ２キー（１７６）などを有する。Ｆ１キー（１７５）の例を図２で示すと、Ｆ１キー（１７５）に対応する表示部（１５）の位置に“ＳＴＡＲＴ”と表示されており、この表示画面ではＦ１キー（１７５）は音声メッセージの発声の操作を行う。そして、Ｆ２キー（１６６）に対応する表示部（１４）の位置に“ＱＵＩＴ”と表示されており、この表示画面ではＦ２キー（１６６）は音声メッセージの終了操作を行う。
【００１２】
次に、本発明の主要な動作を説明する。図３は制御回路（１１）の動作を示すフローチャートである。
【００１３】
発信側の電話装置が音声メッセージを発信すると、受信側が契約している電話会社のボイスメールセンタがこの音声メッセージを記憶する。そして、ボイスメールセンタは、この音声メッセージを含め、まだ、受信されていない音声メッセージの件数（残り件数）と自局のコールバック番号を受信側の電話装置に送信する。これを受信し記憶した本発明の携帯電話装置は、表示部（１４）に音声メッセージの画面を表示させると共に、音声メッセージの着信をＬＥＤ（１５）とスピーカ（８）で報知する。このときに使用者は音声メッセージを聞くことができる。また、まだ発声されていない音声メッセージがあれば、使用者はリアルタイムで所定の操作により音声メッセージの画面を表示させて、音声メッセージを聞くこともできる。
【００１４】
このような音声メッセージの表示画面になったとき（Ｓ１のＹ）、制御回路（１１）は、まだ発声されていない音声メッセージの件数をＲＡＭ（１３）より読み出して表示部（１４）に表示させる（Ｓ２）。そして、局から受信されたコールバック番号がＲＡＭ（１３）に記憶されていれば（Ｓ３のＹ）、これを表示させる（Ｓ４）（図２の表示部（１４）はこのときの表示状態を示す）。
【００１５】
ここで“ＳＴＡＲＴ”に対応するＦ１キー（１７５）が操作されると（Ｓ５のＹ）、設定に係わらず局接続音と識別番号の送信（Ｓｅｎｄ  ＰＩＮ）をしないようにする（Ｓ６）。
【００１６】
局接続音とは、ダイヤル発信して局との接続を要求するときに、局と接続ができたことをスピーカ（８）より報知させるものである。これは所定の操作により“無音／小／中／大”のいずれかに設定可能である。例えば、回線の接続状況が悪く回線の接続にかなり時間がかかる場合は、使用者は局接続音を“大”に設定する。この場合、使用者はダイヤル発信後、一旦受話器（あるいは携帯電話装置）をテーブルなどに置き、局接続音を聞いてから受話器をとって通話を行うことができる。しかしながら、ボイスメールセンタは専用の局であり、通常、直ぐに接続されるため、本発明では、設定に係わらずコールバックのときは“無音”にする。
【００１７】
識別番号とは、ダイヤル発信先から接続の承認の為に要求されるもの、例えば、銀行のコンピュータとの通信に使用されるものである。これは所定の操作により“あり／なし”のいずれかに設定可能である。識別番号はボイスメールセンタとの接続には必要がないために、本発明では、設定に係わらずコールバックのときは識別番号の送信を“なし”にする。
【００１８】
ステップＳ６の後、局から受信されたコールバック番号がＲＡＭ（１３）に記憶されていれば（Ｓ７のＹ）、制御回路（１１）は、受信されたコールバック番号をダイヤル発信させる（Ｓ８）。
【００１９】
局から受信されたコールバック番号がＲＡＭ（１３）に記憶されていなければ（Ｓ７のＮ）、制御回路（１１）は、所定の操作により予めＲＡＭ（１３）に登録されたコールバック番号をダイヤル発信させる（Ｓ９）。米国では、１つの電話会社に対してボイスメールセンタは１つである。従って、通常、コールバック番号は１つであり、これが登録される。しかし、１つの携帯電話装置は４つの電話会社と契約可能であることから、最大４つのボイスメールセンタのコールバック番号を有することができる。この場合、本実施例では、使用者はこの中からコールバック番号を選択して登録する。
【００２０】
ステップＳ８あるいはＳ９でコールバック番号を発信した後、局から送信される音声メッセージが受信されると（Ｓ１０のＹ）、制御回路（１１）は、受信された音声メッセージをスピーカ（４）あるいはスピーカ（８）から発声させる（Ｓ１１）。尚、音声メッセージを受信すると、制御回路（１１）はＲＡＭ（１３）に記憶される音声メッセージの残り件数を更新させる。
【００２１】
このようにして、音声メッセージを発声させる際、コールバック番号が受信されない場合も、使用者はコールバック番号を手動で入力することなく（コールバック番号を記憶する必要もなく）、コールバック番号を発信させることができる。
【００２２】
尚、上述の実施例の実施例では、コールバック番号が受信されなかったときにコールバック番号を表示させなかったが、このときに登録されたコールバック番号を表示させてもよい。更に、コールバック番号を複数登録させて、ダイヤル発信するものを選択させてもよい。
【００２３】
また、上述の実施例の電話装置は携帯用であったが、卓上用などの据え置き型の電話装置にも適用させることができる。
【００２４】
また、上述の実施例のメッセージは音声であったが、文字のメッセージにも適用させることができる。
【００２５】
【発明の効果】
上述の如く、コールバック番号が受信されない場合も、使用者はコールバック番号を手動で入力することなく、コールバック番号を発信させることができる。
【図面の簡単な説明】
【図１】本発明の実施例の主要な構成を示すブロック図である。
【図２】実施例の装置の正面図である。
【図３】実施例の主要な動作を示すフローチャートである。
【符号の説明】
１  通信部
３  ベースバンド部
４  スピーカ（耳用）
６  マイクロホン
８  スピーカ（背面用、周囲用）
１１  制御回路
１３  ＲＡＭ
１４  表示部
１７  入力部
１７６  Ｆ１キー
１７７  Ｆ２キー
【図１】
0003594508.tif 000002
【図２】
0003594508.tif 000003
【図３】
0003594508.tif 000004